(57)【要約】【課題】外部から見ることのできない位置に隠蔽情報を印刷したカートンであって、カートンの外面側の製品情報等を印刷する工程で隠蔽情報を設けることができるカートンを提供すること。【解決手段】内側フラップ１２ａに外側フラップ１２ｃを接着している構造を有するカートンにおいて、内側フラップの外面側に隠蔽情報２を印刷し、この隠蔽情報印刷層を覆って、かつ、部分的に剥離層３が設けると共に、剥離層の周囲で内側フラップと外側フラップとを接着する。隠蔽情報が内側フラップの外面側に印刷されているため、製品名等の外面側印刷と同時にこの隠蔽情報を印刷することができる。また、この隠蔽情報を有する内側フラップには外側フラップを接着しているから、隠蔽情報を外部から見ることはできない。【選択図】図４
2017043398.tif 000002
【特許請求の範囲】
【請求項１】
内側フラップに外側フラップを接着している構造を有するカートンにおいて、
内側フラップの外面側に隠蔽情報が印刷されており、この隠蔽情報印刷層を覆って、かつ、部分的に剥離層が設けられていると共に、
前記剥離層の周囲で内側フラップと外側フラップとが接着していることを特徴とする隠蔽情報付きカートン。
【請求項２】
前記剥離層の外周に、剥離層を貫通する深さの切断線を有することを特徴とする請求項１に記載のカートン。
【請求項３】
紙を素材とするカートンであって、前記切断線が紙に達する深さを有することを特徴とする請求項２に記載のカートン。
【請求項４】
外面に印刷層を有することを特徴とする請求項１〜３のいずれかに記載のカートン。
【発明の詳細な説明】
【技術分野】
【０００１】
本発明は、外部から見ることのできない隠蔽情報を印刷したカートンに関する。
【背景技術】
【０００２】
外部から見ることのできない位置に隠蔽情報を印刷したカートンは公知である（特許文献１参照）。
【０００３】
図７に示すように、このカートンでは、その開口部に配置した外フラップの内面側に隠蔽情報ｙを印刷し、この隠蔽情報ｙを囲むように略コの字形状のミシン目ｘを形成している。このため、このままでは隠蔽情報ｙを見ることはできないが、ミシン目ｘから切り取って、このミシン目ｘで囲まれた領域を持ち上げることにより、隠蔽情報ｙを読むことができる（図７（ｂ）参照）。隠蔽情報としては、例えば、商品コードが例示できる。
【０００４】
ところで、カートンには、その外面に様々な印刷を施すことが多い。例えば、収容する製品名やメーカー名等である。しかしながら、特許文献１のカートンでは、外フラップの内面側に隠蔽情報ｙを印刷しており、このため、製品名やメーカー名等の外面側印刷とは別に、内面側に隠蔽情報ｙを印刷する必要がある。すなわち、特許文献１のカートンでは、通常のカートン製造工程に加えて、その内面側に印刷する工程を要するのである。
【先行技術文献】
【特許文献】
【０００５】
【特許文献１】特開平０１−２１３１４０号公報
【発明の概要】
【発明が解決しようとする課題】
【０００６】
そこで、本発明は、カートンの外面側に印刷する工程で隠蔽情報を設けることができるカートンを提供することを目的とする。本発明によれば、単一の印刷工程によって、製品名やメーカー名等の外面側印刷と共に、カートン外面から見ることのできない隠蔽情報を印刷することができるのである。
【課題を解決するための手段】
【０００７】
すなわち、請求項１に記載の発明は、内側フラップに外側フラップを接着している構造を有するカートンにおいて、
内側フラップの外面側に隠蔽情報が印刷されており、この隠蔽情報印刷層を覆って、かつ、部分的に剥離層が設けられていると共に、
前記剥離層の周囲で内側フラップと外側フラップとが接着していることを特徴とする隠蔽情報付きカートンである。
【０００８】
次に、請求項２に記載の発明は、前記剥離層の外周に、剥離層を貫通する深さの切断線を有することを特徴とする請求項１に記載のカートンである。
【０００９】
また、請求項３に記載の発明は、紙を素材とするカートンであって、前記切断線が紙に達する深さを有することを特徴とする請求項２に記載のカートンである。
【００１０】
また、請求項４に記載の発明は、外面に印刷層を有することを特徴とする請求項１〜３のいずれかに記載のカートンである。
【発明の効果】
【００１１】
本発明によれば、隠蔽情報が内側フラップの外面側に印刷されているため、製品名やメーカー名等の外面側印刷と同時にこの隠蔽情報を印刷することができる。しかも、この隠蔽情報を有する内側フラップには外側フラップを接着しているから、この隠蔽情報を外部から見ることはできない。
【００１２】
なお、外側フラップを内側フラップから引き剥がすことによって隠蔽情報を見ることができるが、この隠蔽情報印刷層は剥離層で覆われており、内側フラップと外側フラップとは剥離層の周囲で接着しているに過ぎないから、外側フラップを引き剥がしたとき、紙剥けが起きることなく、剥離層と外側フラップとの間で確実に剥離して、隠蔽情報を可視化することができる。
【図面の簡単な説明】
【００１３】
【図１】図１は本発明のカートンに係るブランクの例を示す平面図である。
【図２】図２は本発明のカートンに係るブランクに係り、図２（ａ）は内側フラップの要部断面説明図、図２（ｂ）は外側フラップの要部断面説明図である。
【図３】図３は本発明のカートンの例を示す斜視図である。
【図４】図４は本発明のカートンの例を示す要部断面説明図である。
【図５】図５は本発明のカートンを開封した状態を示す斜視図である。
【図６】図６は本発明のカートンを開封した状態の要部断面説明図である。
【図７】図７は従来のカートンに係り、図７（ａ）はその斜視図、図７（ｂ）は開封した状態を示す斜視図である。
【発明を実施するための形態】
【００１４】
次に、図面を参照して本発明の具体例を説明する。説明の便宜上、まず、カートンのブランクから説明する。図１はブランクの平面図である。
【００１５】
すなわち、この例では、カートンは図１に示す１枚のブランクを組み立てて構成することができる。このブランクは、胴部を構成する前面板１１ａ、右側面板１１ｂ、背面板１１ｃ、左側面板１１ｄ、接着板１１ｅを有しており、これら各板１１ａ〜１１ｅは折り曲げ線を介して連設されている。なお、このブランクの素材としては例えばカード紙などの紙を使用することができる。
【００１６】
そして、これら前面板１１ａ、右側面板１１ｂ、背面板１１ｃ、左側面板１１ｄの上部には、折り曲げ線を介して、それぞれ、内側フラップ１２ａ、左側面フラップ１２ｂ、外側フラップ１２ｃ、右側面フラップ１２ｄが連設されている。
【００１７】
また、前面板１１ａ、右側面板１１ｂ、背面板１１ｃ、左側面板１１ｄの下部には、折り曲げ線を介して、それぞれ、前面側底板１３ａ、右側面側底板１３ｂ、背面側底板１３ｃ、左側面側底板１３ｄが連設されている。
【００１８】
そして、図２（ａ）の要部断面説明図に示すように、内側フラップ１２ａの外面側には隠蔽情報２が印刷されている。隠蔽情報としては、商品コードのほか、懸賞情報や割引券の情報等を例示できる。
【００１９】
この隠蔽情報２は任意の印刷方法で印刷することができる。例えば、オフセット印刷法、グラビア印刷法、フレキソ印刷法等である。なお、図示を省略しているが、前面板１１ａ、右側面板１１ｂ、背面板１１ｃ、左側面板１１ｄには、それぞれ、その外面側に任意の印刷（外面側印刷層）を施すことができる。例えば、カートンに収容する商品や製品の名称、メーカー名、あるいは装飾模様等である。これら外面側印刷層と隠蔽情報２とは、いずれも、ブランクの一方の面に形成するため、単一の印刷工程で同時に印刷することが可能である。
【００２０】
次に、この隠蔽情報２を構成する隠蔽情報印刷層の上には、剥離層３が設けられている。図１及び図２（ａ）から分かるように、剥離層３は、隠蔽情報印刷層を被覆して設けられており、しかも、内側フラップ１２ａの一部に設けられていて、その周囲には剥離層３と隠蔽情報印刷層のいずれも存在することなく内側フラップ１２ａが露出している領域が存在する。剥離層３は剥離ニスをパターン状に塗布することによって形成することができる。例えば、シリコン系剥離ニスである。
【００２１】
そして、剥離層３の外周には閉曲線状の切断線４が設けられている。図２（ａ）に示すように、切断線４は剥離層３の内部領域に設けられてもよいが、剥離層３の外周を構成する線の近傍に位置することが望ましい。また、この切断線４は、隠蔽情報２が閉曲線状切断線４の内部に位置するように設けることが望ましい。
【００２２】
この切断線４を設ける場合には、切断線４は剥離層を貫通する深さを有することが望ましい。図の例では、切断線４は剥離層を貫通して、内側フラップ１２ａの素材である紙の内部に達する深さに設けられている。
【００２３】
このブランクからカートンを製造するためには、まず、適宜折り曲げ線で折り曲げると共に、胴部１を構成する接着板１１ｅを前面板１１ａの端部に接着して筒状ブランクを形成する。次に、右側面側底板１３ｂと左側面側底板１３ｄとを折り曲げ、これら両者に重ねて、前面側底板１３ａと背面側底板１３ｃとをこの順の折り曲げると共に、これら前面側底板１３ａと背面側底板１３ｃとを互いに接着剤で接着することにより、カートンの底部を封鎖する。次に、左側面フラップ１２ｂと右側面フラップ１２ｄとを折り曲げ、これら両者に重ねて内側フラップ１２ａを折り曲げる。そして、図２（ｂ）に示すように、外側フラップ１２ｃの内面側に接着剤５を塗布し、内側フラップ１２ａの外面側に折り重ねて、内側フラップ１２ａと外側フラップ１２ｃとを接着することにより、本発明に係るカートンを製造することができる。
【００２４】
こうして得られたカートンは、図３の斜視図に示す形状を有している。そして、内側フラップ１２ａと外側フラップ１２ｃとを接着した部位は、図４の要部断面説明図に示すように、内側フラップ１２ａの外面側に外側フラップ１２ｃが接着されており、しかも、その接着部位は、剥離層３の周囲で内側フラップ１２ａが露出している領域である。一方、剥離層３の存在する領域では、剥離層３と接着剤５とは全く接着しないか、容易に剥離できる程度の弱い接着力で接着しているに過ぎない。
【００２５】
図５の斜視図及び図６の要部断面説明図に示すように、外側フラップ１２ｃを内側フラップ１２ａから引き剥がしてカートンを開封した場合には、まず、外側フラップ１２ｃの端部から剥離が開始する。この外側フラップ１２ｃ端部には剥離層３が存在せず、内側フラップ１２ａと接着剤５とが接着しているから、内側フラップ１２ａに紙剥けが発生して、その一部１２ａ’が外側フラップ１２ｃに接着したまま剥離される（図６参照）。そして、剥離が進行して、剥離層３の存在する領域に達すると、剥離層３と接着剤５との境界面で剥離して、紙剥けが生じない。この例では、剥離層３を貫通する深さの切断線４が閉曲線状切断線４が設けられているから、内側フラップ１２ａの紙剥けはこの切断線４で確実に停止し、この閉曲線状切断線４に囲まれた領域では、確実に前記境界面で剥離する。そして、このため、内側フラップ１２ａの外面側に印刷された隠蔽情報２を読み取ることが可能となる。
【００２６】
なお、本発明によれば、内側フラップ１２ａに発生した紙剥けの痕跡を残すことなく再
封することは困難であるから、隠蔽情報２を改竄したカートンを作成することは困難という利点を有する。
【符号の説明】
【００２７】
１：カートン
１１ａ：前面板    １１ｂ：右側面板    １１ｃ：背面板    １１ｄ：左側面板    １１ｅ：接着板
１２ａ：内側フラップ    １２ｂ：左側面フラップ    １２ｃ：外側フラップ    １２ｄ：右側面フラップ
１３ａ：前面側底板    １３ｂ：右側面側底板    １３ｃ：背面側底板    １３ｄ：左側面側底板
２：隠蔽情報    ３：剥離層    ４：切断線    ５：接着剤
【図１】
2017043398.tif 000003
【図２】
2017043398.tif 000004
【図３】
2017043398.tif 000005
【図４】
2017043398.tif 000006
【図５】
2017043398.tif 000007
【図６】
2017043398.tif 000008
【図７】
2017043398.tif 000009